(57)【要約】【課題】本発明は、電力の浪費やマイコンの過剰負荷を招くことなく、その表示画面を必要に応じてユーザの見やすい方向とすることが可能な情報機器を提供することを目的とする。【解決手段】本発明に係る情報機器は、キー入力をモニタし（Ｓ４）、キー入力があったときに重力センサによるＬＣＤパネルの傾き判定を行い（Ｓ５）、以前の状態から変化が生じていれば（Ｓ６）、ＬＣＤパネルの画面表示方向を制御し（Ｓ２）、メモリにＬＣＤパネルの向き情報を格納する（Ｓ３）構成である。【選択図】      図２
2004184659.tif 000002
【特許請求の範囲】
【請求項１】
操作を受け付ける操作入力部と、画面表示を行う表示部と、鉛直方向に対する前記表示部の傾きを検出する傾斜センサと、を有して成り、前記操作入力部が操作されたときに、前記傾斜センサの検出結果に応じて前記表示部の画面表示方向を制御することを特徴とする情報機器。
【請求項２】
前記表示部の画面表示方向を示すデータを格納する記憶部を有して成り、前記操作入力部が操作されたときに、前記傾斜センサの検出結果に応じた新しい画面表示方向と前記記憶部の格納データに示された以前の画面表示方向とを比較し、両者が一致していなければ、前記傾斜センサの検出結果に応じて前記表示部の画面表示方向を制御し、前記記憶部の格納データを更新することを特徴とする請求項１に記載の情報機器。
【請求項３】
計時手段であるタイマを有して成り、前記操作入力部が操作されたときに、直前操作から当該操作までの経過時間を測定し、該経過時間が所定値以上であれば、前記傾斜センサの検出結果に応じて前記表示部の画面表示方向を制御することを特徴とする請求項１または請求項２に記載の情報機器。
【発明の詳細な説明】
【０００１】
【発明の属する技術分野】
本発明は、携帯電話機やＰＤＡ［Ｐｅｒｓｏｎａｌ  Ｄｉｇｉｔａｌ／Ｄａｔａ  Ａｓｓｉｓｔａｎｔ］に代表される情報機器に関するものである。
【０００２】
【従来の技術】
従来より、表示装置を有して成る情報機器として、その物理的な傾きを逐一検出する傾斜センサを内蔵し、該傾斜センサで得られた検出結果に応じて画面表示方向を制御するものが開示提案されている（例えば、特許文献１、２を参照）。
【０００３】
【特許文献１】
特開平９−４４１４３号公報
【特許文献２】
特開２０００−１２２６３５号公報
【０００４】
【発明が解決しようとする課題】
確かに、上記構成から成る情報機器であれば、その表示画面を常にユーザの見やすい方向（情報機器が縦向きで使用されているときは縦向き、横向きで使用されているときは横向き）とすることができる（図５参照）。
【０００５】
しかしながら、上記構成から成る情報機器では、傾斜センサの検出結果がマイコンで常時モニタされ、その物理的な傾きが変化する度に画面表示制御が行われていたため、ユーザが表示画面を見ていない状態（アプリケーションを使用せず単に情報機器を保持しているだけの状態）であっても、情報機器の保持角度が変わっただけで不要な画面表示制御が行われてしまい、結果として電力の浪費やマイコンの過剰負荷が招かれていた。
【０００６】
本発明は、上記の問題点に鑑み、電力の浪費やマイコンの過剰負荷を招くことなく、その表示画面を必要に応じてユーザの見やすい方向とすることが可能な情報機器を提供することを目的とする。
【０００７】
【課題を解決するための手段】
上記目的を達成するために、本発明に係る情報機器は、操作を受け付ける操作入力部と、画面表示を行う表示部と、鉛直方向に対する前記表示部の傾きを検出する傾斜センサと、を有して成り、前記操作入力部が操作されたときに、前記傾斜センサの検出結果に応じて前記表示部の画面表示方向を制御する構成としている。このような構成とすることにより、操作入力部が操作されていない状態（ユーザが表示画面を見ていない状態）では、情報機器の保持角度が変わっても画面表示制御が行われないので、電力の浪費やマイコンの過剰負荷を招くことなく、その表示画面を必要に応じてユーザの見やすい方向とすることが可能となる。
【０００８】
なお、上記構成から成る情報機器は、前記表示部の画面表示方向を示すデータを格納する記憶部を有して成り、前記操作入力部が操作されたときに、前記傾斜センサの検出結果に応じた新しい画面表示方向と前記記憶部の格納データに示された以前の画面表示方向とを比較し、両者が一致していなければ、前記傾斜センサの検出結果に応じて前記表示部の画面表示方向を制御し、前記記憶部の格納データを更新する構成にするとよい。このような構成とすることにより、不必要な画面表示制御をより一層抑えることが可能となる。
【０００９】
また、上記構成から成る情報機器は、計時手段であるタイマを有して成り、前記操作入力部が操作されたときに、直前操作から当該操作までの経過時間を測定し、該経過時間が所定値以上であれば、前記傾斜センサの検出結果に応じて前記表示部の画面表示方向を制御する構成にするとよい。このような構成とすることにより、操作入力部を操作している間は表示画面方向が変化されないので、操作性を向上することが可能となる。
【００１０】
【発明の実施の形態】
まず、本発明の第１実施形態について詳細な説明を行う。図１は本発明に係る情報機器の第１実施形態を示すブロック図である。本図に示す通り、本実施形態の情報機器１は、マイクロプロセッサ１０（以下、マイコン１０と呼ぶ）と、アナログ／デジタル変換器１１（以下、Ａ／Ｄ［Ａｎａｌｏｇ／Ｄｉｇｉｔａｌ］変換器１１と呼ぶ）と、重力センサ１２と、ＬＣＤコントローラ１３と、ＬＣＤパネル１４と、キーマトリクス１５と、メモリ１６と、を有して成る。
【００１１】
マイコン１０は、情報機器１の各構成回路部１１〜１６を統括的に制御する。Ａ／Ｄ変換器１１は、重力センサ１２から入力されるアナログ信号をデジタル信号に変換してマイコン１０に送出する。重力センサ１２は、鉛直方向に対するＬＣＤパネル１４の傾きをアナログ的に検出する。ＬＣＤコントローラ１３は、マイコン１０の指示に基づいてＬＣＤパネル１４の画面表示制御を行う。ＬＣＤパネル１４は、ＬＣＤコントローラ１３の指示に基づいて種々の情報（文字や画像など）を視覚的に出力する。キーマトリクス１５は、ユーザ操作を受け付ける入力インターフェイス部であり、テンキーやカーソルキーを有して成る。メモリ１６は、ＲＯＭ［Ｒｅａｄ  Ｏｎｌｙ  Ｍｅｍｏｒｙ］やＲＡＭ［Ｒａｎｄｏｍ  Ａｃｃｅｓｓ  Ｍｅｍｏｒｙ］から成る情報格納部である。
【００１２】
続いて、上記構成から成る情報機器１の画面表示制御動作について、図２を参照しながら詳細に説明する。図２は第１実施形態の画面表示制御動作を示すフローチャートである。
【００１３】
本実施形態の情報機器１に対する電源投入直後、ステップＳ１では、重力センサ１２で得られた検出結果に基づいて、マイコン１０によるＬＣＤパネル１４の物理的な向き判定が行われ、続くステップＳ２では、該マイコン１０の判定結果に応じて、ＬＣＤパネル１４の表示画面がユーザの見やすい方向（地面方向が下となる向き）に制御される（図５参照）。このとき、ステップＳ３では、ＬＣＤパネル１４の画面表示方向を示すデータがメモリ１６に格納される。
【００１４】
ステップＳ３におけるメモリ１６へのデータ格納が完了すると、続くステップＳ４では、マイコン１０によるキーマトリクス１５のモニタリング及びユーザ操作判定（キー入力判定）が行われる。ここで、ユーザ操作が為されたと判定された場合は、フローが続くステップＳ５に進められる。一方、ユーザ操作が為されていないと判定された場合は、フローがステップＳ４に戻され、キーマトリクス１５のモニタリング及びユーザ操作判定が継続される。
【００１５】
ステップＳ４でユーザ操作が為されたと判定された場合、ステップＳ５では、重力センサ１２で得られた検出結果に基づいて、再度マイコン１０によるＬＣＤパネル１４の物理的な向き判定が行われ、続くステップＳ６では、該マイコン１０の新しい判定結果がステップＳ３でメモリ１６に格納された以前の判定結果と一致しているか否か（すなわち、ユーザ操作に際してＬＣＤパネル１４の向きに変化が生じたか否か）の判定が行われる。
【００１６】
ここで、新しい判定結果が以前の判定結果と一致しており、ＬＣＤパネル１４の向きに変化が生じていないと判定された場合には、フローがステップＳ４に戻され、キーマトリクス１５のモニタリング及びユーザ操作判定が継続される。一方、新しい判定結果が以前の判定結果と一致しておらず、ＬＣＤパネル１４の向きに変化が生じていると判定された場合には、フローがステップＳ２に戻され、マイコン１０の新しい判定結果に応じて、ＬＣＤパネル１４の表示画面がユーザの見やすい方向（地面方向が下となる向き）に制御される（図５参照）。
【００１７】
上記で説明したように、本実施形態の情報機器１は、キーマトリクス１５が操作されたときに、重力センサ１２の検出結果に応じてＬＣＤパネル１４の画面表示方向を制御する構成である。このような構成とすることにより、キーマトリクス１５が操作されていない状態（ユーザがＬＣＤパネル１４を見ていない状態）では、情報機器１の保持角度が変わっても画面表示制御が行われないので、電力の浪費やマイコン１０の過剰負荷を招くことなく、その表示画面を必要に応じてユーザの見やすい方向とすることが可能となる。
【００１８】
また、本実施形態の情報機器１は、キーマトリクス１５が操作されたときに、重力センサ１２の検出結果に応じた新しい画面表示方向とメモリ１６の格納データに示された以前の画面表示方向とを比較し、両者が一致していなければ、重力センサ１２の検出結果に応じてＬＣＤパネル１４の画面表示方向を制御し、メモリ１６の格納データを更新する構成である。このような構成とすることにより、不必要な画面表示制御をより一層抑えることが可能となる。
【００１９】
次に、本発明の第２実施形態について詳細な説明を行う。図３は本発明に係る情報機器の第２実施形態を示すブロック図である。本図に示す通り、本実施形態の情報機器１は、前出の第１実施形態（図１参照）に加えて、計時手段であるタイマ１７を有して成る構成である。そこで、第１実施形態と同様の部分については図１と同一符号を付すことで説明を省略し、以下では、本実施形態の特徴部分であるタイマ１７を用いた画面表示制御動作について、図４を参照しながら詳細な説明を行うことにする。図４は第２実施形態の画面表示制御動作を示すフローチャートである。
【００２０】
本実施形態の情報機器１に対する電源投入直後、ステップＳ１１では、重力センサ１２で得られた検出結果に基づいて、マイコン１０によるＬＣＤパネル１４の物理的な向き判定が行われ、続くステップＳ１２では、該マイコン１０の判定結果に応じて、ＬＣＤパネル１４の表示画面がユーザの見やすい方向（地面方向が下となる向き）に制御される（図５参照）。このとき、ステップＳ１３では、ＬＣＤパネル１４の画面表示方向を示すデータがメモリ１６に格納される。ここまでのフローは、前出の第１実施形態と同様である（図２参照）。
【００２１】
ステップＳ１３におけるメモリ１６へのデータ格納が完了すると、続くステップＳ１４では、タイマ１７がクリアされて新たなカウントが開始され、ステップＳ１５では、マイコン１０によるキーマトリクス１５のモニタリング６及びユーザ操作判定（キー入力判定）が行われる。ここで、ユーザ操作が為されたと判定された場合は、フローが続くステップＳ１６に進められる。一方、ユーザ操作が為されていないと判定された場合は、フローがステップＳ１５に戻され、キーマトリクス１５のモニタリング及びユーザ操作判定が継続される。
【００２２】
ステップＳ１５でユーザ操作が為されたと判定された場合、ステップＳ１６では、タイマ１７のカウントが所定値以上であるか否かの判定が行われる。ここでカウントが所定値以上であると判定された場合は、フローが続くステップＳ１７に進められる。一方、カウントが所定値以上ではないと判定された場合は、フローがステップＳ１４に戻され、タイマ１７による新たなカウントが開始されるとともに、ステップＳ１５におけるキーマトリクス１５のモニタリング及びユーザ操作判定が継続される。
【００２３】
ステップＳ１６にてタイマ１７のカウントが所定値以上であると判定された場合、ステップＳ１７では、重力センサ１２で得られた検出結果に基づいて、再度マイコン１０によるＬＣＤパネル１４の物理的な向き判定が行われ、続くステップＳ１８では、該マイコン１０の新しい判定結果がステップＳ１３でメモリ１６に格納された以前の判定結果と一致しているか否か（すなわち、ユーザ操作に際してＬＣＤパネル１４の向きに変化が生じたか否か）の判定が行われる。
【００２４】
ここで、新しい判定結果が以前の判定結果と一致しており、ＬＣＤパネル１４の向きに変化が生じていないと判定された場合は、フローがステップＳ１４に戻され、タイマ１７による新たなカウントが開始されるとともに、ステップＳ１５におけるキーマトリクス１５のモニタリング及びユーザ操作判定が継続される。一方、新しい判定結果が以前の判定結果と一致しておらず、ＬＣＤパネル１４の向きに変化が生じていると判定された場合には、フローがステップＳ１２に戻され、マイコン１０の新しい判定結果に応じて、ＬＣＤパネル１４の表示画面がユーザの見やすい方向（地面方向が下となる向き）に制御される（図５参照）。
【００２５】
上記で説明したように、本実施形態の情報機器１は、キーマトリクス１５が操作されたときに、タイマ１７によって直前操作から当該操作までの経過時間を測定し、該経過時間が所定値以上であれば、重力センサ１２の検出結果に応じてＬＣＤパネル１４の画面表示方向を制御する構成である。このような構成とすることにより、キーマトリクス１５を操作している間は表示画面方向が変化されないので、操作性を向上することが可能となる。
【００２６】
【発明の効果】
上記したように、本発明に係る情報機器であれば、電力の浪費やマイコンの過剰負荷を招くことなく、その表示画面を必要に応じてユーザの見やすい方向とすることが可能となる。
【図面の簡単な説明】
【図１】本発明に係る情報機器の第１実施形態を示すブロック図である。
【図２】第１実施形態の画面表示制御動作を示すフローチャートである。
【図３】本発明に係る情報機器の第２実施形態を示すブロック図である。
【図４】第２実施形態の画面表示制御動作を示すフローチャートである。
【図５】情報機器の画面表示制御動作を説明するための図である。
【符号の説明】
１    情報機器
１０    マイクロプロセッサ（マイコン）
１１    アナログ／デジタル変換器（Ａ／Ｄ変換器）
１２    重力センサ
１３    ＬＣＤコントローラ
１４    ＬＣＤパネル
１５    キーマトリクス
１６    メモリ
１７    タイマ
【図１】
2004184659.tif 000003
【図２】
2004184659.tif 000004
【図３】
2004184659.tif 000005
【図４】
2004184659.tif 000006
【図５】
2004184659.tif 000007